(57)【特許請求の範囲】
【請求項１】
試料ガスと試料ガス中のオゾンが除去された参照ガスとが交互に導入される測定部と、
前記測定部に紫外線を照射する光源と、
前記測定部を透過した光を受光して受光量に応じた電気信号を発生する検出器と、
前記測定部に試料ガスが導入された際に前記検出器が発生した電気信号に応じた試料ガス測定データと、前記測定部に参照ガスが導入された際に前記検出器が発生した電気信号に応じた参照ガス測定データと、に基づいて試料ガス中のオゾン濃度を演算する制御部と、
を有し、前記制御部は、
前記試料ガス測定データを取得した場合に今回の前記試料ガス測定データと直近の前記参照ガス測定データとに基づいて試料ガス中のオゾン濃度を示す試料ガス測定後濃度を演算し、前記参照ガス測定データを取得した場合に今回の前記参照ガス測定データと直近の前記試料ガス測定データとに基づいて試料ガス中のオゾン濃度を示す参照ガス測定後濃度を演算し、
前記試料ガス測定後濃度又は前記参照ガス測定後濃度をそれぞれ演算する毎に、直近の前記試料ガス測定後濃度のそれ以前の前記試料ガス測定後濃度からの変化の程度を示す第１の指標値と、直近の前記参照ガス測定後濃度のそれ以前の前記参照ガス測定後濃度からの変化の程度を示す第２の指標値と、を求め、前記第１、第２の指標値間の差分が所定の閾値より大きい場合に、今回演算した前記試料ガス測定後濃度又は前記参照ガス測定後濃度をそれぞれ、以前に演算した前記試料ガス測定後濃度又は前記参照ガス測定後濃度の少なくとも一方に基づく別の値に置き換える処理を行うことを特徴とするオゾン測定装置。
【請求項２】
前記制御部は、前記第１、第２の指標値間の差分が前記閾値より大きい場合に、今回演算した前記試料ガス測定後濃度を以前に演算した前記試料ガス測定後濃度に基づく別の値に置き換える、又は今回演算した前記参照ガス測定後濃度を以前に演算した前記参照ガス測定後濃度に基づく別の値に置き換える処理を行うことを特徴とする請求項１に記載のオゾン測定装置。
【請求項３】
前記第１の指標値は、直近の前記試料ガス測定後濃度の前回の前記試料ガス測定後濃度からの変化率を示し、
前記第２の指標値は、直近の前記参照ガス測定後濃度の前回の前記参照ガス測定後濃度からの変化率を示すことを特徴とする請求項１又は２に記載のオゾン測定装置。
【請求項４】
前記第１の指標値は、直近の前記試料ガス測定後濃度の前回の前記試料ガス測定後濃度からの変化率と、前回の前記試料ガス測定後濃度の前々回の前記試料ガス測定後濃度からの変化率と、の差分を示し、
前記第２の指標値は、直近の前記参照ガス測定後濃度の前回の前記参照ガス測定後濃度からの変化率と、前回の前記参照ガス測定後濃度の前々回の前記参照ガス測定後濃度からの変化率と、の差分を示すことを特徴とする請求項１又は２に記載のオゾン測定装置。
【請求項５】
前記制御部は、前記変化率を、縦軸が試料ガス中のオゾン濃度、横軸が時間である座標に前記試料ガス測定後濃度又は前記参照ガス測定後濃度をそれぞれプロットした場合における、隣接する前記試料ガス測定後濃度のプロット間を結ぶ直線が横軸方向となす角度、又は隣接する前記参照ガス測定後濃度のプロット間を結ぶ直線が横軸方向となす角度として求めることを特徴とする請求項３又は４に記載のオゾン測定装置。
【発明の詳細な説明】
【技術分野】
【０００１】
本発明は、大気中などのオゾン濃度を測定するオゾン測定装置に関するものである。
【背景技術】
【０００２】
従来、オゾンが紫外線を吸収することを利用して、試料ガス中のオゾン濃度を紫外線の吸収によって測定するオゾン測定装置がある。オゾン測定装置では、試料ガスの紫外線吸光度（紫外線透過光量）、及び試料ガス中のオゾンが除去された参照ガスの紫外線吸光度（紫外線透過光量）がそれぞれ測定され、これらの比率から試料ガス中のオゾン濃度が求められる。このようなオゾン測定装置において、紫外線光源としては、一般に水銀ランプが用いられている。
【０００３】
しかし、水銀ランプは、光量の安定性が比較的低く、点灯中に突然光量が大きくなったり小さくなったりすることがある。そして、このように水銀ランプの光量が変化した際の測定データを用いてオゾン濃度を求めると、オゾン濃度の指示値が現実的でない値となることがある。ここでは、この現象を「指示飛び」という。
【０００４】
この問題に対し、参照ガスの紫外線吸光度の変化率が所定の閾値を超えた場合は、その参照ガスの紫外線吸光度を用いた試料ガス中のオゾン濃度の演算を行わないようにする方法がある（特許文献１）。
【先行技術文献】
【特許文献】
【０００５】
【特許文献１】特開２００８−１７５６２６号公報
【発明の概要】
【発明が解決しようとする課題】
【０００６】
しかしながら、上記従来の方法では、一定の効果は得られるものの、指示飛びを十分に低減できない場合がある。
【０００７】
つまり、上記従来の方法では、参照ガスの紫外線透過光量を測定している時の水銀ランプの光量変化のみに注目し、その変化の大きさから指示飛びを判別している。そのため、試料ガスの紫外線透過光量を測定している時に水銀ランプの光量変化があった場合には、指示飛びを判別することができない。そのため、試料ガス中のオゾン濃度の測定結果は、依然として低減すべき指示飛びが見られるものとなってしまうことがある。
【０００８】
したがって、本発明の目的は、試料ガスの紫外線透過光量と参照ガスの紫外線透過光量とを交互に測定して試料ガス中のオゾン濃度を求める構成において、測定結果に生じる指示飛びを低減することのできるオゾン測定装置を提供することである。
【課題を解決するための手段】
【０００９】
上記目的は本発明に係るオゾン測定装置にて達成される。要約すれば、本発明は、試料ガスと試料ガス中のオゾンが除去された参照ガスとが交互に導入される測定部と、前記測定部に紫外線を照射する光源と、前記測定部を透過した光を受光して受光量に応じた電気信号を発生する検出器と、前記測定部に試料ガスが導入された際に前記検出器が発生した電気信号に応じた試料ガス測定データと、前記測定部に参照ガスが導入された際に前記検出器が発生した電気信号に応じた参照ガス測定データと、に基づいて試料ガス中のオゾン濃度を演算する制御部と、を有し、前記制御部は、前記試料ガス測定データを取得した場合に今回の前記試料ガス測定データと直近の前記参照ガス測定データとに基づいて試料ガス中のオゾン濃度を示す試料ガス測定後濃度を演算し、前記参照ガス測定データを取得した場合に今回の前記参照ガス測定データと直近の前記試料ガス測定データとに基づいて試料ガス中のオゾン濃度を示す参照ガス測定後濃度を演算し、前記試料ガス測定後濃度又は前記参照ガス測定後濃度をそれぞれ演算する毎に、直近の前記試料ガス測定後濃度のそれ以前の前記試料ガス測定後濃度からの変化の程度を示す第１の指標値と、直近の前記参照ガス測定後濃度のそれ以前の前記参照ガス測定後濃度からの変化の程度を示す第２の指標値と、を求め、前記第１、第２の指標値間の差分が所定の閾値より大きい場合に、今回演算した前記試料ガス測定後濃度又は前記参照ガス測定後濃度をそれぞれ、以前に演算した前記試料ガス測定後濃度又は前記参照ガス測定後濃度の少なくとも一方に基づく別の値に置き換える処理を行うことを特徴とするオゾン測定装置である。
【発明の効果】
【００１０】
本発明によれば、試料ガスの紫外線透過光量と参照ガスの紫外線透過光量とを交互に測定して試料ガス中のオゾン濃度を求める構成において、測定結果に生じる指示飛びを低減することができる。
【図面の簡単な説明】
【００１１】
【図１】一実施例に係るオゾン測定装置のブロック図である。
【図２】一実施例におけるオゾン濃度の演算方法を説明するための説明図である。
【図３】指示飛びの問題を説明するためのグラフである。
【図４】指示飛びの典型例を説明するためのグラフである。
【図５】一実施例における指示飛び補正処理を説明するためのグラフである。
【図６】一実施例における測定データの処理の流れを示すフローチャートである。
【図７】一実施例における指示飛び補正処理の効果を示すグラフ図である。
【図８】指示飛びの他の典型例を説明するためのグラフである。
【発明を実施するための形態】
【００１２】
以下、本発明に係るオゾン測定装置を図面に則して更に詳しく説明する。
【００１３】
［実施例１］
１．オゾン測定装置の全体構成
図１は、本実施例のオゾン測定装置１００の全体構成を示すブロック図である。本実施例では、オゾン測定装置１００は、大気中のオゾン濃度を測定するのに用いられるものである。
【００１４】
測定装置１００は、試料ガス（空気）を導入するための試料ガス導入口１１と、試料ガス導入口１１から導入された試料ガスが流通する導入管１２と、を有する。導入管１２は、後述する検出部２の測定セル２１に接続されており、測定セル２１に試料ガスを供給する。導入管１２には、その一部をショートカットするようにバイパス管１３が接続されており、このバイパス管１３の途中にオゾン分解器１４が接続されている。また、導入管１２、バイパス管１３のそれぞれの途中に、試料ガスの流通経路を切り替えるための弁１５及び１６が設けられている。また、試料ガス導入口１１から導入管１２に導入された試料ガスから粉体や粒状体の不純物を除去するための清浄フィルタ１７が導入管１２の途中に設けられている。本実施例では、試料ガス導入口１１、導入管１２、バイパス管１３、オゾン分解器１４、弁１５及び１６、清浄フィルタ１７などによって、測定セル２１に試料ガスと試料ガス中のオゾンが除去された参照ガスとを交互に導入するガス供給部１が構成される。
【００１５】
また、測定装置１００は、測定後のガスを排出するための排出管３１と、排出口３２と、を有する。排出管３１は、測定セル２１に接続されており、測定セル２１を通過した後のガスが導入される。排出管３１の途中に、ガスを流動させるポンプ３３と、排出管３１内を流通するガスの流量を検知する流量計３４と、が設けられている。また、排出管３１内を流通するガスの温度を検知する温度センサ３５、排出管３１内を流通するガスの圧力を検知する圧力センサ３６が設けられている。本実施例では、排出管３１、排出口３２、ポンプ３３、流量計３４、温度センサ３５、圧力センサ３６などによって、測定セル２１を通過したガスを排出するガス排出部３が構成される。
【００１６】
また、測定装置１００は、試料ガスに含まれるオゾンを検出する検出部２を有する。検出部２は、試料ガスなどが導入される測定部としての測定セル２１、紫外線光源としての水銀ランプ２２、水銀ランプ２２から出射され測定セル２１を透過した光を受光して受光量に応じた電気信号を発生する検出器（光電変換部）２３を有する。検出器２３は、光電変換素子（本実施例ではフォトダイオード）、増幅器、ＡＤコンバータなどを有して構成される。
【００１７】
さらに、オゾン測定装置１００は、ポンプ３３、弁１５及び１６、検出部２などの測定装置１００の動作を統括的に制御すると共に、試料ガス中のオゾン濃度を求める制御部４を有する。制御部４は、演算制御手段としてのＣＰＵ、記憶手段としての記憶部（メモリ）などを有して構成されており、記憶部に格納されたプログラムに従ってオゾン測定装置１００の各部の動作の制御、測定データの処理を実行する。なお、オゾン測定装置１００には更に、測定結果を表示する表示部、測定装置１００と通信可能に接続された外部機器に測定結果を送信する送信部などが設けられていてよい。
【００１８】
オゾン測定装置１００による試料ガス中のオゾン濃度の測定は次のようにして行われる。
【００１９】
（１）ポンプ３３によって試料ガス導入口１１から導入管１２に試料ガス（空気）が一定流量で吸引され、この試料ガスが弁１５及び１６によってバイパス管１３を通さずに測定セル２１に導入される。
【００２０】
（２）水銀ランプ２２から紫外領域の光である特定波長（本実施例では２５４ｎｍ）の紫外線が測定セル２１に照射される。これにより、試料ガス中のオゾン及びその他の紫外線を吸収する共存成分の濃度に応じた紫外線が、試料ガスにより吸収される。試料ガスが導入された測定セル２１を透過することで減衰した紫外線が、検出器２３によって受光される。そして、検出器２３は、受光した紫外線の強度（紫外線透過光量）に応じた電気信号を発生し、これをＡＤ変換した測定データ（ここでは、「試料ガス測定データ」ともいう。）を制御部４に入力する。制御部４は、入力された試料ガス測定データを記憶部に記憶する。
【００２１】
（３）弁１５及び１６によってガスの流通経路が切り替えられて、試料ガスがバイパス管１３に導入されることで、オゾン分解器１４によって試料ガス中のオゾンが分解（除去）されて、オゾンを含まない参照ガスが調整される。この参照ガスは、測定セル２１に導入され、上記（２）の試料ガスの場合と同様の測定が行われる。参照ガスは、試料ガス中のオゾンのみが除去されて調整されたものであるため、参照ガスの測定の場合は、試料ガス中のオゾン以外の共存成分の濃度に応じた紫外線が吸収される。参照ガスが導入された測定セル２１を透過することで減衰した紫外線が検出器２３によって受光される。そして、検出器２３は、受光した紫外線の強度（紫外線透過光量）に応じた電気信号を発生し、これをＡＤ変換した測定データ（ここでは、「参照ガス測定データ」ともいう。）を制御部４に入力する。制御部４は、入力された参照ガス測定データを記憶部に記憶する。
【００２２】
（４）制御部４が、詳しくは後述するようにして、試料ガス測定データと参照ガス測定データとを用いて、試料ガスの紫外線透過光量と参照ガスの紫外線透過光量との比率に応じた試料ガス中のオゾン濃度を演算により求める。そして、制御部４は、試料ガス中のオゾン濃度の測定結果を記憶部に記憶する。制御部４は、更に記憶部に記憶した測定結果を表示部に表示させたり、外部機器に送信したりしてよい。
【００２３】
以上の操作が繰り返されることによって、試料ガス中のオゾン濃度が間欠的に測定される。試料ガスの紫外線透過光量の測定と参照ガスの紫外線透過光量の測定とは、詳しくは後述するように、例えば数秒ごとに切り替えられるようになっており、長期スパンで見た場合は十分な測定点数で試料ガス中のオゾン濃度を連続測定できることになる。
【００２４】
２．オゾン濃度の演算
次に、本実施例のオゾン測定装置１００におけるオゾン濃度の演算について更に詳しく説明する。本実施例では、制御部４は、試料ガス中のオゾン濃度を、ランバートベールの法則に基づく下記式（１）により演算する。
【００２５】
【数１】
0006643715.tif 000002
【００２６】
上記式（１）において、Ｉｓは試料ガスの紫外線透過光量に対応する試料ガス測定データ、Ｉｚは参照ガスの紫外線透過光量に対応する参照ガス測定データ、Ｋｇはオゾンガスの吸光係数、Ｌは測定セル２１の光路長（セル長）、ＴＭｓは補正用試料ガス温度、Ｐｓは補正用試料ガスの圧力である。
【００２７】
このオゾン濃度の演算は、試料ガスと参照ガスとを交互に切り替えて測定セル２１に導入しながら、試料ガスの紫外線透過光量の測定後、参照ガスの紫外線透過光量の測定後に行われる。測定セル２１に導入されるガスが試料ガスから参照ガスへ、又は参照ガスから試料ガスへと切り替えられると、３秒間のパージ期間（測定セル２１内のガスを置き換えるための期間）の後、３秒間の測定期間の間に制御部４が所定の時間間隔（例えば１５０ｍｓ毎）でサンプリングした測定データの平均値を取得する。したがって、オゾン濃度は６秒ごとに更新される。図２に示すように、参照ガスの測定終了後には、今回取得された参照ガス測定データと、直近の（すなわち、１回前（６秒前）に取得された）試料ガス測定データと、を用いて、上記式（１）によりオゾン濃度が演算される（ここでは、このタイミングで演算されるオゾン濃度を「参照ガス測定後濃度」ともいう。）。また、試料ガスの測定終了後には、今回取得された試料ガス測定データと、直近の（すなわち、１回前（６秒前）に取得された）参照ガス測定データと、を用いて、上記式（１）によりオゾン濃度が演算される（ここでは、このタイミングで演算されるオゾン濃度を「試料ガス測定後濃度」ともいう。）。
【００２８】
３．指示飛び
水銀ランプ２２の光量が安定していれば、例えば測定セル２１に一定のオゾン濃度の試料ガス（例えばオゾンを含まない空気（ゼロガス））を導入した場合、今回の試料ガス測定後濃度と１回前の参照ガス測定後濃度、あるいは今回の参照ガス測定後濃度と１回前の試料ガス測定後濃度は、ほとんど変わらないはずである。
【００２９】
しかし、水銀ランプ２２は、点灯中に突然光量の状態が急変することがある。図３（ａ）は、測定セル２１にゼロガスを導入した場合の測定データ、すなわち、水銀ランプ２２の光量の変化を測定した結果を示す。同図において縦軸は測定データ（検出器２３の出力のＡＤカウント値）、横軸は時間である。図３（ａ）中矢印で示すように、水銀ランプ２２の光量の状態は急変することがあり、このように水銀ランプ２２の光量が急変した際の紫外線透過光量の変化を濃度変換してしまうと、試料ガス中のオゾン濃度の指示値が現実的でない値となる。図３（ｂ）は、後述する本実施例の指示飛び補正処理を行わない場合のゼロガスのオゾン濃度の測定結果（試料ガス測定後濃度と参照ガス測定後濃度とを交互にプロットしていったオゾン濃度）を示す。同図において縦軸は時間、横軸はオゾン濃度である。図３（ｂ）に示すように、この場合ほぼ一定値を示すはずのオゾン濃度の指示値に、突然大きくなったり小さくなったりする指示飛びが見られる。
【００３０】
図４は、指示飛びのいくつかの典型例を示すグラフである。同図において、縦軸はオゾン濃度、横軸は時間である。また、同図中の「◆」は試料ガス測定後濃度のプロット、「■」は参照ガス測定後濃度のプロットである。
【００３１】
図４中の（１）は、参照ガスの測定期間に水銀ランプ２２の光量がプラス側に変化した場合の指示飛びの例を示している。この場合、直後に演算される参照ガス測定後濃度は高くなる方向に指示飛びする（１回前の試料ガスの紫外線吸光度と今回の参照ガスの紫外線吸光度との差分が疑似的に大きくなったことに相当する。）。また、この場合、次の試料ガスの測定期間は、水銀ランプ２２が安定状態に戻るまでの過渡期となるため、次回に演算される試料ガス測定後濃度は逆に低くなる方向に指示飛びする。
【００３２】
図４中の（２）は、試料ガスのパージ期間に水銀ランプ２２の光量がマイナス側に変化した場合の指示飛びの例を示している。この場合、直後の試料ガスの測定期間は、水銀ランプ２２が安定状態に戻るまでの過渡期となるため、その直後に演算される試料ガス測定後濃度は高くなる方向に指示飛びする（今回の試料ガスの紫外線吸光度と１回前の参照ガスの紫外線吸光度との差分が疑似的に大きくなったことに相当する。）。
【００３３】
図４中の（３）は、試料ガスの測定期間に水銀ランプ２２の光量がプラス側に変化した場合の指示飛びの例を示している。この場合、直後に演算される試料ガス測定後濃度は低くなる方向に指示飛びする（今回の試料ガスの紫外線吸光度と１回前の参照ガスの紫外線吸光度との差分が疑似的に小さくなったことに相当する。）。また、この場合、次の参照ガスの測定期間は、水銀ランプ２２が安定状態に戻るまでの過渡期となるため、次回に演算される参照ガス測定後濃度は逆に高くなる方向に指示飛びする。
【００３４】
また、図４中の（４）は、参照ガスのパージ期間に水銀ランプ２２の光量がマイナス側に変化した場合の指示飛びの例を示している。この場合、直後の参照ガスの測定期間は、水銀ランプ２２が安定状態に戻るまでの過渡期となるため、その直後に演算される参照ガス測定後濃度は低くなる方向に指示飛びする（１回前の試料ガスの紫外線吸光度と今回の参照ガスの紫外線吸光度との差分が疑似的に小さくなったことに相当する。）。
【００３５】
このように、水銀ランプ２２の光量の状態が急変するタイミング、光量変化がプラス方向かマイナス方向かに応じて、試料ガス測定後濃度、参照ガス測定後濃度に異なる態様の指示飛びが発生する。したがって、参照ガスの紫外線透過光量を測定している時の水銀ランプ２２の光量変化のみに注目し、その変化の大きさから指示飛びを判別する特許文献１の方法では、指示飛びを十分に低減できないことがある。
【００３６】
４．指示飛び補正処理
本実施例では、制御部４は、概略、次のような指示飛び補正処理を実行する。つまり、上記式（１）によれば、オゾン濃度は試料ガスの紫外線透過光量と参照ガスの紫外線透過光量との比率から求められるため、水銀ランプ２２の光量が安定していれば、直近の試料ガス測定後濃度の前回の試料ガス測定後濃度からの変化率と、直近の参照ガス測定後濃度の前回の参照ガス測定後濃度からの変化率と、はほぼ同じである。より詳細に言えば、測定対象（大気中のオゾン濃度であるか、オゾン発生器の発生するオゾン濃度であるかなど）に応じて、上記両者の変化率は所定の範囲内になると推定できる。しかし、水銀ランプ２２の光量が大きく変化した場合には、上記両者の変化率が大きく異なることになる。したがって、本実施例では、上記両者の変化率の差を所定の閾値と比較して、その差が所定の閾値を超えた場合に指示飛びが発生したと判断する。そして、指示飛びのため正確な値として扱えない試料ガス測定後濃度あるいは参照ガス測定後濃度を、より実際のオゾン濃度に近くなるように代替値に置き換える。
【００３７】
図５を参照して具体的に説明する。同図において、縦軸はオゾン濃度、横軸は時間である。また、同図中の「◆」は試料ガス測定後濃度のプロット、「■」は参照ガス測定後濃度のプロットである。また、同図において、Ｃｓは試料ガス測定後濃度、Ｃｚは参照ガス測定後濃度、θｓは後述する試料ガス測定後濃度の変化率を示す角度（ここでは「試料ガス測定後角度」ともいう。）、θｚは後述する参照ガス測定後濃度の変化率を示す角度（ここでは、「参照ガス測定後角度」ともいう。）である。また、Ｃｓ、Ｃｚ、θｓ、θｚの添え字「ｎ」などは、何回目の濃度演算タイミングかを示すものである。そして、ここでは、図５中の濃度演算タイミング（１）〜（７）に注目し、タイミング（４）の試料ガス測定後濃度及びタイミング（５）の参照ガス測定後濃度に指示飛びが発生しているものとする。
【００３８】
タイミング（１）では、参照ガス測定後濃度Ｃｚｎ−２が演算される。次に、タイミング（２）では、試料ガス測定後濃度Ｃｓｎ−１が演算される。次に、タイミング（３）では、参照ガス測定後濃度Ｃｚｎ−１が演算されると共に、今回の参照ガス測定後濃度Ｃｚｎ−１の前回の参照ガス測定後濃度Ｃｚｎ−２からの変化率を示す参照ガス測定後角度θｚｎ−２が求められる。次に、タイミング（４）では、試料ガス測定後濃度Ｃｓｎが演算されると共に、今回の試料ガス測定後濃度Ｃｓｎの前回の試料ガス測定後濃度Ｃｓｎ−１からの変化率を示す試料ガス測定後角度θｓｎ−１が求められる。
【００３９】
以後同様に、順次、オゾン濃度が演算されると共に、今回のオゾン濃度の前回のオゾン濃度からの変化率を示す角度θが求められる。つまり、タイミング（５）では、参照ガス測定後濃度Ｃｚｎが演算されると共に、参照ガス測定後角度θｚｎ−１が求められる。タイミング（６）では、試料ガス測定後濃度Ｃｓｎ＋１が演算されると共に、試料ガス測定後角度θｓｎが求められる。タイミング（７）では、参照ガス測定後濃度Ｃｚｎ＋１が演算されると共に、参照ガス測定後角度θｚｎが求められる。
【００４０】
ここで、本実施例では、角度θ（θｓ、θｚ）は、図５のように縦軸をオゾン濃度、横軸を時間としてａｔａｎ（アークタンジェント）で求められる。より詳細には、本実施例では、角度θは、横軸の時間は一定周期（６秒）となるため単位時間「１」と換算し、下記式（２）で求められる。
θ＝｜ａｔａｎ（今回の濃度−前回の濃度）｜      ・・・（２）
【００４１】
そして、本実施例では、毎回の濃度演算タイミングにおいて、オゾン濃度及び角度θを求めた後に、直近の試料ガス測定後角度θｓと参照ガス測定後角度θｚとが比較される。特に、本実施例では、直近の試料ガス測定後角度θｓと参照ガス測定後角度θｚとの差分（絶対値）（ここでは、単に「角度差」ともいう。）が、所定の閾値θｅｒｒより大きいか否かが判断される。つまり、下記式（３）を満たすか否かが判断される。
θｅｒｒ＜｜θｚ−θｓ｜      ・・・（３）
【００４２】
角度差が閾値θｅｒｒ以下の場合は、今回の濃度演算タイミングで演算されたオゾン濃度には指示飛びは発生しないと判断される。そして、今回演算されたオゾン濃度はそのまま試料ガス中のオゾン濃度の測定結果（表示、記録などされるもの）に反映される。一方、角度差が閾値θｅｒｒより大きい場合は、今回の濃度演算タイミングで演算されたオゾン濃度に指示飛びが発生していると判断される。そして、今回演算されたオゾン濃度は、前回の濃度演算タイミングで演算されたオゾン濃度に基づいて置き換えられて（補間処理）、試料ガス中のオゾン濃度の測定結果に反映される。特に、本実施例では、上記補間処理では、今回演算されたオゾン濃度は、前回演算されたオゾン濃度で置き換えられる。
【００４３】
図５の例では、タイミング（４）において、今回求められた試料ガス測定後角度θｓｎ−１と、１回前に求められた参照ガス測定後角度θｚｎ−２とが比較され、
θｅｒｒ＜｜θｚｎ−２−θｓｎ−１｜
を満たす、すなわち、角度差が閾値θｅｒｒより大きいと判断される。そして、今回演算された試料ガス測定後濃度Ｃｓｎは、前回演算された試料ガス測定後濃度Ｃｓｎ−１で置き換えられて、試料ガス中のオゾン濃度の測定結果に反映される。なお、前回のオゾン濃度が既にそれより前のオゾン濃度で置き換えられている場合は、その既に置き換えられた後のオゾン濃度で今回演算されたオゾン濃度を置き換えればよい。
【００４４】
同様に、図５の例では、タイミング（５）において、今回求められた参照ガス測定後角度θｚｎ−１と、１回前に求められた試料ガス測定後角度θｓｎ−１とが比較され、
θｅｒｒ＜｜θｚｎ−１−θｓｎ−１｜
を満たす、すなわち、角度差が閾値θｅｒｒより大きいと判断される。そして、今回演算された試料ガス測定後濃度Ｃｚｎは、前回演算された試料ガス測定後濃度Ｃｚｎ−１で置き換えられて、試料ガス中のオゾン濃度の測定結果に反映される。
【００４５】
一方、タイミング（１）、（２）、（３）、（６）及び（７）では、角度差は閾値θｅｒｒ以下であると判断され、これら各タイミングで演算された試料ガス測定後濃度Ｃｓ、参照ガス測定後濃度Ｃｚは、そのまま試料ガス中のオゾン濃度の測定結果に反映される。
【００４６】
なお、閾値θｅｒｒは、測定対象（大気中のオゾン濃度であるか、オゾン発生器の発生するオゾン濃度であるかなど）、測定データの取得間隔などに応じて、指示飛びを十分に低減できるように任意に決定することができる。一例として、本実施例では、θｅｒｒは３．５度である。
【００４７】
このように、本実施例では、制御部４は、試料ガス測定後濃度又は参照ガス測定後濃度をそれぞれ演算する毎に、直近の試料ガス測定後濃度のそれ以前の試料ガス測定後濃度からの変化の程度を示す第１の指標値と、直近の参照ガス測定後濃度のそれ以前の参照ガス測定後濃度からの変化の程度を示す第２の指標値と、を求める。そして、制御部４は、第１、第２の指標値間の差分が所定の閾値より大きい場合に、今回演算した試料ガス測定後濃度又は参照ガス測定後濃度をそれぞれ、以前に演算した試料ガス測定後濃度又は参照ガス測定後濃度の少なくとも一方に基づく別の値に置き換える補間処理を行う。特に、本実施例では、補間処理では、今回演算した試料ガス測定後濃度は以前に演算した試料ガス測定後濃度に基づく別の値に置き換えられ、今回演算した参照ガス測定後濃度は以前に演算した参照ガス測定後濃度に基づく別の値に置き換えられる。また、本実施例では、上記第１の指標値は、直近の試料ガス測定後濃度の前回の試料ガス測定後濃度からの変化率を示すものであり、上記第２の指標値は、直近の参照ガス測定後濃度の前回の参照ガス測定後濃度からの変化率を示すものである。より詳細には、本実施例では、この変化率は、縦軸が試料ガス中のオゾン濃度、横軸が時間である座標に試料ガス測定後濃度又は参照ガス測定後濃度をそれぞれプロットした場合における、隣接する試料ガス測定後濃度のプロット間を結ぶ直線が横軸方向となす角度、又は隣接する参照ガス測定後濃度のプロット間を結ぶ直線が横軸方向となす角度として求められる。
【００４８】
図６は、本実施例における制御部４における測定データの処理の流れを示すフローチャートである。
【００４９】
制御部４は、検出器２３から入力される測定データを所定の時間間隔（例えば１５０ｍｓ毎）でサンプリングする（Ｓ１）。また、制御部４は、６秒毎に到来する試料ガスの紫外線透過光量又は参照ガスの紫外線透過光量の測定期間の開始タイミングを監視し（Ｓ２）、試料ガスの紫外線透過光量又は参照ガスの紫外線透過光量の測定期間の開始タイミングが到来した場合には、それぞれ３秒間にわたりサンプリングした測定データの平均値を求め、試料ガス測定後濃度又は参照ガス測定後濃度を演算する（Ｓ３、Ｓ４）。また、制御部４は、図５を参照して説明したように、濃度演算タイミング毎に今回演算したオゾン濃度に指示飛びが発生しているか否かを判別する（Ｓ５）。
【００５０】
そして、制御部４は、Ｓ５において指示飛びが発生していると判断した場合は、今回演算したオゾン濃度を、２回前に演算したオゾン濃度（すなわち、今回演算したオゾン濃度が試料ガス測定後濃度の場合は前回の試料ガス測定後濃度、今回演算したオゾン濃度が参照ガス測定後濃度の場合は前回の参照ガス測定後濃度）に置き換えてその後の処理に供する（Ｓ６）。一方、制御部４は、Ｓ５において指示飛びが発生していないと判断した場合は、今回演算したオゾン濃度をその後の処理に供する。
【００５１】
その後、制御部４は、上述のようにして求められたオゾン濃度（置き換えられたものを含む。）、及び上記同様にしてそれまでに求められて制御部４の記憶部に記憶されているオゾン濃度を用いてスムージング処理を行う（Ｓ７）。そして、制御部４は、スムージング処理によって得られたオゾン濃度を最終的な試料ガス中のオゾン濃度の測定結果として記憶部に記憶する。制御部４は、更に記憶部に記憶した測定結果を表示部に表示させたり、外部機器に送信したりしてよい。
【００５２】
なお、本実施例では、補間処理として、今回の試料ガス測定後濃度を前回の試料ガス測定後濃度で置き換える、又は今回の参照ガス測定後濃度を前回の参照ガス測定後濃度で置き換える処理を行うが、補間処理自体はこれに限定されるものではなく、利用可能な任意の補間方法を採用することができる。例えば、前回と今回の試料ガス測定後濃度同士又は参照ガス測定後濃度同士の中間の値で置き換えたり、前回とそれ以前（例えば前々回）の試料ガス測定後濃度同士又は参照ガス測定後濃度同士を用いて外挿することで得られた値に置き換えたりすることができる。また、補間処理で今回演算されたオゾン濃度を置き換えるオゾン濃度は、それ以前に演算されたオゾン濃度に基づく、より実際のオゾン濃度に近くなる値であればよい。そのため、今回演算された試料ガス測定後濃度を以前に演算された参照ガス測定後濃度（あるいは試料ガス測定後濃度及び参照ガス測定後濃度の両方）に基づく別の値に置き換えたり、今回演算された参照ガス測定後濃度を以前に演算された試料ガス測定後濃度（あるいは試料ガス測定後濃度及び参照ガス測定後濃度の両方）に基づく別の値に置き換えたりすることも企図し得る。ただし、本発明者らの検討によれば、より実際のオゾン濃度に近い測定結果を得るためには、本実施例のように試料ガス測定後濃度同士又は参照ガス測定後濃度同士で補間処理を行うことが好ましい。
【００５３】
また、本実施例では、測定結果を平滑化するスムージング処理を行うが、これを行わずに各濃度演算タイミングで演算されたオゾン濃度（置き換えられたものを含む。）をそのまま最終的な試料ガス中のオゾン濃度の測定結果としてもよい。
【００５４】
５．効果確認
次に、本実施例の指示飛び補正処理の効果を調べた結果について説明する。
【００５５】
図７（ａ）の左図は本実施例の指示飛び補正処理を行わない場合（図３（ｂ）と同様）、右図は本実施例の指示飛び補正処理を行った場合の、ゼロガスのオゾン濃度の測定結果を示す。同図において縦軸は時間、横軸はオゾン濃度である。図７（ａ）の右図に示すように、本実施例の指示飛び補正処理を行った場合、図７（ａ）の左図でみられる指示飛びが低減されることが分かる。
【００５６】
図７（ｂ）は、水銀ランプ２２が比較的安定しており本実施例の指示飛び補正処理を行わない基準器と、任意の水銀ランプ２２を用い本実施例の指示飛び補正処理を行った検証器とで、大気中のオゾン濃度を長期にわたり測定した結果を比較したものである。同図において、縦軸はオゾン濃度、横軸は時間であり、オゾン濃度は１時間平均値をプロットしている。図７（ｂ）に示すように、基準器と検証器とで実質的に同じオゾン濃度の測定結果が得られており、実際の大気中のオゾン濃度の長期にわたる測定において正確な測定が行えることがわかる。
【００５７】
以上のように、本実施例によれば、参照ガスの紫外線透過光量を測定している時だけでなく試料ガスの紫外線透過光量を測定している時に水銀ランプ２２の光量が急変した場合でも、指示飛びを判別することができる。したがって、本実施例によれば、試料ガス中のオゾン濃度の測定結果に生じる指示飛びを低減して、より正確な測定結果を得ることができる。
【００５８】
［実施例２］
次に、本発明の他の実施例について説明する。本実施例のオゾン測定装置の基本的な構成及び動作は実施例１のものと同じである。したがって、本実施例のオゾン測定装置において実施例１のものと同一又は対応する機能あるいは構成を有する要素については、同一符号を付して詳しい説明は省略する。
【００５９】
実施例１では、指示飛びの判別のために、毎回の濃度演算タイミングにおいて、直近の試料ガス測定後角度θｓと参照ガス測定後角度θｚとを比較した。多くの場合、指示飛びを発生させるような水銀ランプ２２の光量の変化が発生した後、１０秒以内で水銀ランプ２２は安定状態に戻る。このような多くの場合に、実施例１の方法によって指示飛びを十分に低減することができる。
【００６０】
しかし、水銀ランプ２２の光量変化が比較的大きく、指示飛びの変化が比較的大きい場合、水銀ランプ２２が安定状態に戻るまでに数十秒かかる場合がある。このような場合、直近の試料ガス測定後角度θｓと参照ガス測定後角度θｚとを比較する実施例１の方法では、指示飛びが生じた際に水銀ランプ２２の光量が安定するまでの間のオゾン濃度の変化を抑えきれなくなる場合がある。
【００６１】
図８は、指示飛びの他の典型例を説明するためのグラフである。同図において、縦軸はオゾン濃度、横軸は時間である。また、同図中の「◆」は試料ガス測定後濃度のプロット、「■」は参照ガス測定後濃度のプロットである。図８に示す例では、図４や図５に示す例よりも指示飛びが発生した際にオゾン濃度の演算値が安定するまでに比較的長時間を要していることがわかる。
【００６２】
図８の例では、濃度演算タイミング（３）〜（８）で演算されたオゾン濃度に指示飛びが発生している。ここで、タイミング（３）の試料ガス測定後濃度については、直近の角度θｓｎ−１とθｚｎ−１との差分が大きくなっているので、実施例１の方法によっても指示飛びが発生していると判断することができる。同様に、タイミング（４）の試料ガス測定後濃度については、直近の角度θｚｎとθｓｎ−１との差分が大きくなっているので、実施例１の方法によっても指示飛びが発生していると判断することができる。
【００６３】
しかし、例えばタイミング（５）の試料ガス測定後濃度については、直近の角度θｓｎとθｚｎとの差分が小さくなっているので、実施例１の方法では指示飛びが発生していると判断することは難しい。同様に、例えばタイミング（６）の参照ガス測定後濃度については、直近の角度θｚｎ＋１とθｓｎとの差分が小さくなっているので、実施例１の方法では指示飛びが発生していると判断することは難しい。
【００６４】
そこで、本実施例では、直近と前回の角度θｓ間の差分（絶対値）と、直近と前回の角度θｚ間の差分（絶対値）とが比較される。特に、本実施例では、上記角度θｓ間の差分と上記角度θｚ間の差分との差分（絶対値）が、所定の閾値θｅｒｒより大きいか否かが判断される。そして、閾値θｅｒｒより大きい場合は、今回演算したオゾン濃度に指示飛びが発生していると判断され、閾値θｅｒｒ以下の場合は今回演算したオゾン濃度には指示飛びは発生していないと判断される。
【００６５】
このように、本実施例では、直近の試料ガス測定後濃度の以前の試料ガス測定後濃度からの変化の程度を示す第１の指標値は、直近の試料ガス測定後濃度の前回の試料ガス測定後濃度からの変化率と、前回の試料ガス測定後濃度の前々回の試料ガス測定後濃度からの変化率と、の差分を示すものである。また、本実施例では、直近の参照ガス測定後濃度の以前の参照ガス測定後濃度からの変化の程度を示す第２の指標値は、直近の参照ガス測定後濃度の前回の参照ガス測定後濃度からの変化率と、前回の参照ガス測定後濃度の前々回の参照ガス測定後濃度からの変化率と、の差分を示すものである。本実施例でも、この変化率は実施例１と同様に角度θとして求められる。
【００６６】
図８の例では、例えばタイミング（５）において、下記式、
θｅｒｒ＜｜｜θｚｎ−θｚｎ−１｜−｜θｓｎ−θｓｎ−１｜｜
を満たすか否かが判断され、満たしているのでタイミング（５）の試料ガス測定後濃度に指示飛びが発生していると判断さる。タイミング（３）、（４）、（６）、（７）、（８）の指示飛びについても、上記同様にして判別することができる。
【００６７】
なお、本実施例における閾値θｅｒｒも、実施例１の場合と同様に、測定対象（大気中のオゾン濃度であるか、オゾン発生器の発生するオゾン濃度であるかなど）、測定データの取得間隔などに応じて、指示飛びを十分に低減できるように任意に決定することができる。
【００６８】
また、指示飛びが発生していると判断した場合の補間処理は、実施例１と同様にして行うことができる。
【００６９】
このように、本実施例では、水銀ランプ２２の光量変化が比較的大きく、指示飛びの変化が比較的大きい場合でも、指示飛びが発生した際に安定するまでのオゾン濃度の演算値を排除して、より正確な測定結果を得ることができる。
【符号の説明】
【００７０】
１          ガス供給部
２          検出部
３          ガス排出部
４          制御部
【図１】
0006643715.tif 000003
【図２】
0006643715.tif 000004
【図３】
0006643715.tif 000005
【図４】
0006643715.tif 000006
【図５】
0006643715.tif 000007
【図６】
0006643715.tif 000008
【図７】
0006643715.tif 000009
【図８】
0006643715.tif 000010